(57)【要約】【課題】本発明は、安価かつ正確に呼出信号を検出する半導体ＤＡＡを備えた通信装置に関する。【解決手段】通信装置１は、２値化データ切替部２１で、回線信号の正側と負側の電圧変動をそれぞれ２値化して２値化信号を出力するとともに、当該正側と負側の２値化信号を操作部の操作に応じたＣＰＵ２４の制御で切り替えて出力し、周波数検出部２２で、当該２値化データ切替部２１の出力する２値化信号のエッジ間を計測して回線信号の周波数を検出して、ＣＰＵ２４が、当該周波数検出部２２の検出する回線信号の周波数に基づいて呼出信号を検出する。したがって、光電素子を用いた呼出信号検出回路を設けることなく、パルス状や立ち上がりと立下りで波形形状の異なる呼出信号をも、正確にかつ安価に検出することができる。【選択図】          図１
2005151414.tif 000002
【特許請求の範囲】
【請求項１】
回線網とのインタフェースに半導体ＤＡＡを用いた通信装置において、回線信号の正側と負側の電圧変動をそれぞれ２値化して２値化信号を出力するとともに、当該正側と負側の２値化信号を適宜切り替えて出力する２値化信号切替手段と、当該２値化信号切替手段の出力する２値化信号のエッジ間を計測して前記回線信号の周波数を検出する周波数検出手段と、当該周波数検出手段の検出する前記回線信号の周波数に基づいて呼出信号を検出する信号検出制御手段と、を備えていることを特徴とする通信装置。
【請求項２】
前記通信装置は、前記周波数検出手段の検出した周波数が異常周波数であるか否かを判定する異常判定手段を備え、前記信号検出制御手段は、当該異常判定手段が前記周波数検出手段の検出した周波数が異常周波数であると判定すると、前記２値化信号切替手段の出力する正側と負側の２値化信号を切り替えさせることを特徴とする請求項１記載の通信装置。
【請求項３】
前記通信装置は、前記正負の回線信号の入力毎に波形の切り替わる検出信号を出力する信号変化検出手段を備え、前記信号検出制御手段は、当該信号変化検出手段の出力する検出信号の波形が切り替わっているにもかかわらず、前記呼出信号を検出しないときには、前記２値化信号切替手段の出力する正側と負側の２値化信号を切り替えさせることを特徴とする請求項１または請求項２記載の通信装置。
【請求項４】
前記通信装置は、回線信号の変動を発生させる他の要因の発生の有無を検出する信号変動要因発生有無検出手段を備え、前記信号検出制御手段は、前記信号変化検出手段の出力する検出信号の波形が切り替わっているにもかかわらず前記呼出信号を検出せず、かつ、前記信号変動要因発生有無検出手段が前記回線信号の変動を発生させる他の要因の発生を検出しないときにのみ、前記２値化信号切替手段の出力する正側と負側の２値化信号を切り替えさせることを特徴とする請求項１または請求項２記載の通信装置。
【発明の詳細な説明】
【技術分野】
【０００１】
本発明は、通信装置に関し、詳細には、安価かつ正確に呼出信号を検出する半導体ＤＡＡを備えた通信装置に関する。
【背景技術】
【０００２】
従来、ファクシミリ装置等の通信装置にあっては、そのＮＣＵ（Network Control Unit）は、一般的に、光電素子（フォトカプラ等）を使用して、光電素子に流れる電流を検出することで、呼出信号を検出している。この従来の呼出信号の検出方法は、呼出信号の波形形状に依存することなく、ある一定以上の電圧変化があれば、呼出信号を検出することができる。
【０００３】
呼出信号の検出は、絶縁状態での信号伝達が必要なため、従来、光電素子（フォトカプラ等）を用いて行っていた。この光電素子を用いた方法では、電流で光電素子を発光させて、信号を伝達していたため、ある電圧以上の信号が発生すれることで、検出が可能であった。
【０００４】
しかし、近年、技術の向上により半導体によって回線制御を行う半導体ＤＡＡ（Data Access Arrangement）が出現しているが、このＤＡＡ構成においては、１次側の半導体内で呼出信号を検出する必要があり、回線間電圧をコンデンサ等で分圧して検出できる電圧に変換し、比較器（コンパレータ等）で電圧比較を行って、ある電圧値以上の電圧が観測された場合に、呼出信号の検出となる。
【０００５】
すなわち、従来のＤＡＡ構成の呼出信号検出回路は、図４に示すように、回線の正負それぞれに抵抗Ｒ１、Ｒ２とコンデンサＣ１、Ｃ２を介して、それぞれチャージ用コンデンサＣ３、Ｃ４を接続して、コンデンサＣ３、Ｃ４に充電された電圧を比較器ＣＰ１、ＣＰ２で比較して、ある電圧値以上の電圧を観測すると、呼出信号の検出を示す検出信号を出力している。
【０００６】
したがって、呼出信号が、図５（ａ）に示すような正常波形の信号であると、呼出信号を正確に検出して、検出信号を出力することができる。
【０００７】
ところが、電圧監視の場合、コンデンサＣ３、Ｃ４に蓄えられる電荷量によっては変動しきれないことがあるため、呼出信号が、図５（ｂ）に示すように、パルス状の呼出信号や立ち上がりと立下りで波形形状の異なる特殊波形の呼出信号であると、片側しか検出することができないことがあり、正確な検出信号を出力することができない。
【０００８】
そして、本出願人は、先に、光電素子による呼出信号検出回路を付加し、省電力状態においても呼出信号による省電力状態からの復帰を可能としたファクシミリ装置を提案している（特許文献１参照）。
【０００９】
【特許文献１】特開平２００２−１７６５２０号公報
【発明の開示】
【発明が解決しようとする課題】
【００１０】
しかしながら、上記従来技術にあっては、呼出信号を検出することはできるが、別途、光電素子を用いた呼出信号検出回路を追加する必要があり、コストが高くつく。
【００１１】
そこで、請求項１記載の発明は、２値化信号切替手段で、回線信号の正側と負側の電圧変動をそれぞれ２値化して２値化信号を出力するとともに、当該正側と負側の２値化信号を適宜切り替えて出力し、周波数検出手段で、当該２値化信号切替手段の出力する２値化信号のエッジ間を計測して回線信号の周波数を検出して、信号検出制御手段が、当該周波数検出手段の検出する回線信号の周波数に基づいて呼出信号を検出することにより、光電素子を用いた呼出信号検出回路を設けることなく、パルス状や立ち上がりと立下りで波形形状の異なる呼出信号をも、正確にかつ安価に検出する通信装置を提供することを目的としている。
【００１２】
請求項２記載の発明は、周波数検出手段の検出した周波数が異常周波数であるか否かを異常判定手段で判定し、当該異常判定手段が周波数検出手段の検出した周波数が異常周波数であると判定すると、信号検出制御手段が、２値化信号切替手段の出力する正側と負側の２値化信号を切り替えさせることにより、パルス状や立ち上がりと立下りで波形形状の異なる呼出信号をも、異常周波数によって、２値化信号切替手段の出力する正側と負側の２値化信号を自動的に切り替え、呼出信号をより一層高精度にかつ安価に検出する通信装置を提供することを目的としている。
【００１３】
請求項３記載の発明は、信号変化検出手段で、正負の回線信号の入力毎に波形の切り替わる検出信号を出力し、信号検出制御手段が、当該信号変化検出手段の出力する検出信号の波形が切り替わっているにもかかわらず、呼出信号を検出しないときには、２値化信号切替手段の出力する正側と負側の２値化信号を切り替えさせることにより、片側にしか信号が出てこない特殊な呼出信号であっても、回線信号の波形の切り替わりに応じて、２値化信号切替手段の出力する正側と負側の２値化信号を自動的に切り替え、呼出信号をより一層高精度にかつ安価に検出する通信装置を提供することを目的としている。
【００１４】
請求項４記載の発明は、回線信号の変動を発生させる他の要因の発生の有無を信号変動要因発生有無検出手段で検出し、信号検出制御手段が、信号変化検出手段の出力する検出信号の波形が切り替わっているにもかかわらず呼出信号を検出せず、かつ、当該信号変動要因発生有無検出手段が回線信号の変動を発生させる他の要因の発生を検出しないときにのみ、２値化信号切替手段の出力する正側と負側の２値化信号を切り替えさせることにより、回線信号の波形の切り替わりに応じて、２値化信号切替手段の出力する正側と負側の２値化信号を自動的に切り替えるとともに、他の要因で信号が切り替わることを防止し、呼出信号をより一層高精度にかつ安価に検出する通信装置を提供することを目的としている。
【課題を解決するための手段】
【００１５】
請求項１記載の発明の通信装置は、回線網とのインタフェースに半導体ＤＡＡを用いた通信装置において、回線信号の正側と負側の電圧変動をそれぞれ２値化して２値化信号を出力するとともに、当該正側と負側の２値化信号を適宜切り替えて出力する２値化信号切替手段と、当該２値化信号切替手段の出力する２値化信号のエッジ間を計測して前記回線信号の周波数を検出する周波数検出手段と、当該周波数検出手段の検出する前記回線信号の周波数に基づいて呼出信号を検出する信号検出制御手段と、を備えていることにより、上記目的を達成している。
【００１６】
この場合、例えば、請求項２に記載するように、前記通信装置は、前記周波数検出手段の検出した周波数が異常周波数であるか否かを判定する異常判定手段を備え、前記信号検出制御手段は、当該異常判定手段が前記周波数検出手段の検出した周波数が異常周波数であると判定すると、前記２値化信号切替手段の出力する正側と負側の２値化信号を切り替えさせるものであってもよい。
【００１７】
また、例えば、請求項３に記載するように、前記通信装置は、前記正負の回線信号の入力毎に波形の切り替わる検出信号を出力する信号変化検出手段を備え、前記信号検出制御手段は、当該信号変化検出手段の出力する検出信号の波形が切り替わっているにもかかわらず、前記呼出信号を検出しないときには、前記２値化信号切替手段の出力する正側と負側の２値化信号を切り替えさせるものであってもよい。
【００１８】
さらに、例えば、請求項４に記載するように、前記通信装置は、回線信号の変動を発生させる他の要因の発生の有無を検出する信号変動要因発生有無検出手段を備え、前記信号検出制御手段は、前記信号変化検出手段の出力する検出信号の波形が切り替わっているにもかかわらず前記呼出信号を検出せず、かつ、前記信号変動要因発生有無検出手段が前記回線信号の変動を発生させる他の要因の発生を検出しないときにのみ、前記２値化信号切替手段の出力する正側と負側の２値化信号を切り替えさせるものであってもよい。
【発明の効果】
【００１９】
請求項１記載の発明の通信装置によれば、２値化信号切替手段で、回線信号の正側と負側の電圧変動をそれぞれ２値化して２値化信号を出力するとともに、当該正側と負側の２値化信号を適宜切り替えて出力し、周波数検出手段で、当該２値化信号切替手段の出力する２値化信号のエッジ間を計測して回線信号の周波数を検出して、信号検出制御手段が、当該周波数検出手段の検出する回線信号の周波数に基づいて呼出信号を検出するので、光電素子を用いた呼出信号検出回路を設けることなく、パルス状や立ち上がりと立下りで波形形状の異なる呼出信号をも、正確にかつ安価に検出することができる。
【００２０】
請求項２記載の発明の通信装置によれば、周波数検出手段の検出した周波数が異常周波数であるか否かを異常判定手段で判定し、当該異常判定手段が周波数検出手段の検出した周波数が異常周波数であると判定すると、信号検出制御手段が、２値化信号切替手段の出力する正側と負側の２値化信号を切り替えさせるので、パルス状や立ち上がりと立下りで波形形状の異なる呼出信号をも、異常周波数によって、２値化信号切替手段の出力する正側と負側の２値化信号を自動的に切り替えることができ、呼出信号をより一層高精度にかつ安価に検出することができる。
【００２１】
請求項３記載の発明の通信装置によれば、信号変化検出手段で、正負の回線信号の入力毎に波形の切り替わる検出信号を出力し、信号検出制御手段が、当該信号変化検出手段の出力する検出信号の波形が切り替わっているにもかかわらず、呼出信号を検出しないときには、２値化信号切替手段の出力する正側と負側の２値化信号を切り替えさせるので、片側にしか信号が出てこない特殊な呼出信号であっても、回線信号の波形の切り替わりに応じて、２値化信号切替手段の出力する正側と負側の２値化信号を自動的に切り替えることができ、呼出信号をより一層高精度にかつ安価に検出することができる。
【００２２】
請求項４記載の発明の通信装置によれば、回線信号の変動を発生させる他の要因の発生の有無を信号変動要因発生有無検出手段で検出し、信号検出制御手段が、信号変化検出手段の出力する検出信号の波形が切り替わっているにもかかわらず呼出信号を検出せず、かつ、当該信号変動要因発生有無検出手段が回線信号の変動を発生させる他の要因の発生を検出しないときにのみ、２値化信号切替手段の出力する正側と負側の２値化信号を切り替えさせるので、回線信号の波形の切り替わりに応じて、２値化信号切替手段の出力する正側と負側の２値化信号を自動的に切り替えることができるとともに、他の要因で信号が切り替わることを防止することができ、呼出信号をより一層高精度にかつ安価に検出することができる。
【発明を実施するための最良の形態】
【００２３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２４】
図１〜図３は、本発明の通信装置の一実施例を示す図であり、図１は、本発明の通信装置の一実施例を適用した通信装置１の要部概略構成図である。
【００２５】
図１において、通信装置１は、回線Ｌが収納されており、回線Ｌに接続されて回線電流を整流するダイオードブリッジ２、回線制御回路３、ダイオードブリッジ２と回線制御回路３との回路を切断する切断部４、データの送受信を行うＤＳＰ（Digital Signal Processor）５、通信装置１全体の制御を行うシステム制御部６等を備えている。また、回線Ｌには、外付けの電話機が接続可能となっている。
【００２６】
回線制御回路３は、いわゆる半導体ＤＡＡ（シリコンＤＡＡ）で構成されており、１次側回線制御部１１、データ受け渡し回路１２及び２次側シリアルＩ／Ｆ部１３等を備えている。
【００２７】
１次側回線制御部１１は、ダイオードブリッジ２を介して回線Ｌの１次側に配置され、局給電により動作して、２次側とデータの受け渡しを行うことで回線制御、送受信データのやり取りを行う。
【００２８】
２次側シリアルＩ／Ｆ部１３は、２次側に配置され、回線制御回路３とシリアルＩ／Ｆでデータの受け渡し処理を行う。
【００２９】
データ受け渡し回路１２は、リニアカプラ、トランス、コンデンサ等で構成され、１次−２次間を絶縁状態するとともに、データを送受信する。データ受け渡し回路１２は、例えば、コンデンサで絶縁され、絶縁された光電素子であるリニアカプラでデータの受け渡しを行う。
【００３０】
ＤＳＰ５は、送信信号及び受信信号に各種信号処理を施すとともに、網制御及び網認識処理を行う。
【００３１】
システム制御部６は、２値化データ切替部２１、周波数検出部２２、信号変化検出部２３及びＣＰＵ（Central Processing Unit ）２４等を備えており、２値化データ切替部２１及び信号変化検出部２３には、回線制御回路３の２次側シリアルＩ／Ｆ部１３から正負の呼出信号、すなわち、回線信号が入力される。
【００３２】
２値化データ切替部（２値化信号切替手段）２１は、ＣＰＵ２４の制御下で、回線制御回路３の２次側シリアルＩ／Ｆ部１３から入力される正負の呼出信号等の正負の回線信号をそれぞれ２値化し、当該２値化した正負の回線信号をＣＰＵ２４からの指示に応じて切り替えて、周波数検出部２２に出力する。すなわち、ＣＰＵ（信号検出制御手段、異常判定手段、信号変動要因発生有無検出手段）２４は、図示しない操作部からの２値化信号切替指示操作があると、当該操作に応じて、２値化データ切替部２１に正側と負側の２値化データを切り替えて周波数検出部２２に出力させ、また、後述するように、周波数検出部２２の検出した周波数に異常があると、２値化データ切替部２１に正側と負側の２値化データを切り替えて周波数検出部２２に出力させ、さらに、信号検出部２３がラッチ信号を出力しているにもかかわらず、呼出信号を検出しないと、２値化データ切替部２１に正側と負側の２値化データを切り替えて周波数検出部２２に出力させる。
【００３３】
周波数検出部（周波数検出手段）２２は、２値化データ切替部２１から入力される２値化信号のエッジ間を計測することで周波数を検出する。ＣＰＵ２４は、周波数検出部２２の検出した信号の周波数に基づいて、当該信号の種別、特に、呼出信号の検出を行う。
【００３４】
信号変化検出部（信号変化検出手段）２３は、回線制御回路３の２次側シリアルＩ／Ｆ部１３から入力される正負の各回線信号をラッチすることで、正負の回線信号が入力される毎に波形を切り替えてラッチ信号としてＣＰＵ２４に出力する。すなわち、信号変化検出部２３は、片側に信号が入力されると、必ず信号が変化するため、この信号を監視することで、信号変化を検出し、かつ、片側が信号出力されない場合でも、必ず波形が正しく入力されていないことを検出する。
【００３５】
ＣＰＵ２４は、通信装置１の各部を制御して通信装置１としての基本処理を実行するとともに、後述する呼出信号検出制御処理を実行する。特に、ＣＰＵ２４は、周波数検出部２２の検出する周波数に基づいて、回線信号の種別、特に、呼出信号の検出を行い、また、周波数検出部２２の検出した周波数について異常周波数の有無の検出を行、さらに、呼出信号の他に、極性反転や外付け電話器のオフフック等の回線信号の変化を生じさせる要因のうち、呼出信号以外の他の要因の発生時にフラグを立てて、当該他の要因の発生を検出する。
【００３６】
次に、本実施例の作用を説明する。本実施例の通信装置１は、回線Ｌからの回線信号を半導体ＤＡＡの回線制御回路３の１次側回線制御部１１、データ受け渡し回路１２及び２次側シリアルＩ／Ｆ部１３を介してシステム制御部６の２値化データ切替部２１及び信号変化検出部２３に入力し、まず、２値化データ切替部２１で、正負の回線信号の電圧変動をそれぞれ２値化して、周波数検出部２２に入力する。
【００３７】
また、２値化データ切替部２１は、操作部からの切替指示操作に応じて、ＣＰＵ２４が切替制御することで、正側と負側の２値化データを切り替えて周波数検出部２２に入力する。
【００３８】
周波数検出部２２は、入力される２値化データ（２値化信号）のエッジ間を計測して回線信号の周波数を検出する。
【００３９】
ＣＰＵ２４は、この周波数検出部２２の検出した回線信号の周波数に基づいて回線信号の種別、特に、呼出信号の検出を行う。
【００４０】
このように、本実施例の通信装置１は、２値化データ切替部２１で、回線信号の正側と負側の電圧変動をそれぞれ２値化して２値化信号を出力するとともに、当該正側と負側の２値化信号を操作部の切替指示操作で切り替えて出力し、周波数検出部２２で、当該２値化データ切替部２１の出力する２値化信号のエッジ間を計測して回線信号の周波数を検出して、ＣＰＵ２４が、当該周波数検出部２２の検出する回線信号の周波数に基づいて呼出信号を検出している。
【００４１】
したがって、光電素子を用いた呼出信号検出回路を設けることなく、パルス状や立ち上がりと立下りで波形形状の異なる呼出信号をも、正確にかつ安価に検出することができる。
【００４２】
また、通信装置１は、ＣＰＵ２４は、周波数検出部２２の検出した回線信号の周波数の異常の有無を判定して、周波数に異常があると判定すると、２値化データ切替部２１に、周波数検出部２２に出力する信号を切り替えさせる。
【００４３】
すなわち、ＣＰＵ２４は、図２に示すように、周波数検出部２２が２値化データ切替部２１から入力される２値化信号（２値化データ）の周波数を検出すると（ステップＳ１０１）、当該周波数に異常があるか、例えば、２値化信号（２値化データ）の周波数が回線信号としては存在しない周波数であるかチェックする（ステップＳ１０２）。
【００４４】
ステップＳ１０２で、周波数に異常があると、ＣＰＵ２４は、２値化データ切替部２１から２値化データ（２値化信号）の正負を切り替えさせて周波数検出部２２に入力させ（ステップＳ１０３）、この正負切り替えた２値化データの周波数を周波数検出部２２が検出した結果に基づいて、回線信号の種別、特に、呼出信号の検出を行う（ステップＳ１０４）。
【００４５】
ステップＳ１０２で、周波数に異常がなく正常であると、ＣＰＵ２４は、当該周波数検出部２２の検出した２値化信号（２値化データ）の周波数に基づいて、回線信号の種別、特に、呼出信号の検出を行う（ステップＳ１０４）。
【００４６】
このようにすると、パルス状や立ち上がりと立下りで波形形状の異なる呼出信号をも、異常周波数によって、２値化データ切替部２１の出力する２値化信号を自動的に切り替えることができ、呼出信号をより一層高精度にかつ安価に検出することができる。
【００４７】
さらに、通信装置１は、信号変化検出部２３が信号変化を検出しているが、呼出信号が検出されないときには、２値化信号（２値化データ）の正負を切り替えさせて２値化データ切替部２１から周波数検出部２２に出力させる。また、この場合、通信装置１は、極性反転や外付け電話器のオフフック等にも信号が変動するため、このような回線信号以外の他の変動要因の発生がないときに、２値化信号（２値化データ）の正負を切り替えさせて２値化データ切替部２１から周波数検出部２２に出力させる。
【００４８】
すなわち、ＣＰＵ２４は、図３に示すように、信号変化検出部２３がラッチ信号を検出すると（ステップＳ２０１）、回線信号の正負が変動する他の要因、例えば、極性反転や外付け電話器のオフフック等の発生があるかチェックする（ステップＳ２０２）。
【００４９】
ステップＳ２０２で、他の要因の発生がないときには、ＣＰＵ２４は、２値化データ切替部２１から２値化データ（２値化信号）の正負を切り替えさせて周波数検出部２２に入力させ（ステップＳ２０３）、この正負切り替えた２値化データの周波数を周波数検出部２２が検出した結果に基づいて、回線信号の種別、特に、呼出信号の検出を行う（ステップＳ２０４）。
【００５０】
ステップＳ２０２で、他の要因の発生があるときには、ＣＰＵ２４は、周波数検出部２２の検出結果はそのままにして（ステップＳ２０５）、当該発生した他の要因に応じた動作処理を実施する（ステップＳ２０６）。
【００５１】
このようにすると、片側にしか信号が出てこない特殊な呼出信号であっても、回線信号の波形の切り替わりに応じて、２値化データ切替部２１の出力する正側と負側の２値化信号を自動的に切り替えることができ、呼出信号をより一層高精度にかつ安価に検出することができる。
【００５２】
また、回線信号の波形の切り替わりに応じて、２値化データ切替部２１の出力する正側と負側の２値化信号を自動的に切り替えることができるとともに、他の要因で信号が切り替わることを防止することができ、呼出信号をより一層高精度にかつ安価に検出することができる。
【００５３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５４】
半導体ＤＡＡを備え、呼出信号を正確に検出する通信装置に適用することができる。
【図面の簡単な説明】
【００５５】
【図１】本発明の通信装置の一実施例を適用した通信装置の要部概略構成図。
【図２】図１の通信装置による呼出信号検出処理を示すフローチャート。
【図３】図１の通信装置による信号変化検出時の他の信号変化要因の発生の有無を考慮した呼出信号検出処理を示すフローチャート。
【図４】従来のＤＡＡ構成の呼出信号検出回路を示す図。
【図５】呼出信号が正常波形時（ａ）と特殊波形時（ｂ）の呼出信号の検出状態の説明図。
【符号の説明】
【００５６】
１  通信装置
２  ダイオードブリッジ
３  回線制御回路
４  切断部
５  ＤＳＰ
６  システム制御部
１１  １次側回線制御部
１２  データ受け渡し回路
１３  ２次側シリアルＩ／Ｆ部
２１  ２値化データ切替部
２２  周波数検出部
２３  信号変化検出部
２４  ＣＰＵ
【図１】
2005151414.tif 000003
【図２】
2005151414.tif 000004
【図３】
2005151414.tif 000005
【図４】
2005151414.tif 000006
【図５】
2005151414.tif 000007